(57)【特許請求の範囲】
【請求項１】
入浴者の存在が予定されている人体存在予定箇所に向けてミストを噴出する温水噴出手段が設けられている温水噴出装置であって、
前記温水噴出手段及び通風手段が、ミスト対象室としての浴室における浴槽の上部に相当する箇所に、前記通風手段の吹き出し口を前記温水噴出手段よりも前記人体存在予定箇所としての洗い場に接近させた状態で、かつ、前記吹き出し口と前記温水噴出手段とを水平方向に並べた状態で設けられ、
前記温水噴出手段が、起動するときには、前記人体存在予定箇所と異なる方向にミストを噴出し、その温水の温度が噴出許容設定範囲内になると、前記人体存在予定箇所に向けてミストを噴出するように構成され、
前記通風手段が、前記温水噴出手段にて噴出されるミストが前記人体存在予定箇所に存在する人体の頭部側に飛散するのを抑制すべく、前記洗い場に存在する人体の頭部側に向けた方向に通風するように設けられ、かつ、前記温水噴出手段が、前記人体存在予定箇所に向けてミストを噴出するときに、噴出されたミストが前記通風手段にて通風される空気の流れの下方側空間を通って前記人体存在予定箇所に流動するように、ミストを噴出するように構成されている温水噴出装置。
【請求項２】
前記通風手段が、加熱手段にて加熱された加熱空気を通風するように構成されている請求項１に記載の温水噴出装置。
【請求項３】
前記通風手段が、前記ミスト対象室内から吸引した空気を通風するように構成されている請求項１に記載の温水噴出装置。
【請求項４】
前記温水噴出手段と前記通風手段とが一体状に構成されている請求項１〜３のいずれか１項に記載の温水噴出装置。
【請求項５】
前記通風手段を備えた装置本体部が、前記ミスト対象室の天井裏に入り込ませた状態で設置され、その設置状態において、前記温水噴出手段を前記ミスト対象室の天井の表面側箇所に支持するように構成され、
前記ミスト対象室内側において、前記温水噴出手段が支持された前記装置本体部を覆うカバー体が設けられている請求項４に記載の温水噴出装置。
【請求項６】
前記温水噴出手段および前記通風手段の作動状態を制御する制御手段が設けられ、
前記制御手段が、前記通風手段のみを作動させる通風運転状態、前記温水噴出手段のみを作動させるミスト運転状態、および、前記通風手段および前記温水噴出手段を作動させる同時運転状態に切換可能に構成されている請求項１〜５のいずれか１項に記載の温水噴出装置。
【発明の詳細な説明】
【０００１】
【発明の属する技術分野】
本発明は、入浴者の存在が予定されている人体存在予定箇所に向けてミストを噴出する温水噴出手段が設けられている温水噴出装置に関する。
【０００２】
【従来の技術】
上記のような温水噴出装置は、人為操作式のスイッチなどによる起動指令に基づいて、温水噴出手段にて人体存在予定箇所に向けてミストを噴出し、停止指令に基づいて、ミストの噴出を停止させるようにしているものである。
そして、この種の温水噴出装置は、温水噴出手段の起動時から人体存在予定箇所に向けてミストを噴出し、温水噴出手段に供給される温水の温度が噴出許容上限温度よりも高い場合には、温水噴出手段への温水の供給を阻止したり、冷水を混合させて冷ましたりすることによって、噴出許容上限温度よりも高い高温のミストが人体存在予定箇所に向けて噴出されることを回避し、入浴者に不快感を与えることを回避している（例えば、特開平４−２１５７５８号公報）。
【０００３】
【発明が解決しようとする課題】
しかしながら、上記従来の温水噴出装置では、温水噴出手段への温水の供給を阻止したり、冷水を混合させて冷ましたりしているが、実際に、温水噴出手段への温水の供給を阻止したり、冷水を混合させて冷すまでに多少の時間がかかるので、温水噴出手段の起動時から人体存在予定箇所に向けてミストを噴出すると、噴出許容上限温度よりも高い高温のミストが人体存在予定箇所に向けて噴出される虞があり、未だ入浴者に不快感を与える虞があった。
また、温水噴出手段に温水を供給するための配管途中などに冷めた湯水が残存している場合には、温水噴出手段の起動時に、その残存湯水が温水噴出手段に供給されることになるので、上記従来の温水噴出装置のように、温水噴出手段を起動するときから人体存在予定箇所に向けてミストを噴出するものでは、温水噴出手段の起動時に、冷めた湯水が人体存在予定箇所に向けて噴出されることになって、入浴者に不快感を与える虞がある。
【０００４】
本発明は、かかる点に着目してなされたものであり、その目的は、温水噴出手段の起動時から入浴者に不快感を与えることを回避することが可能となる温水噴出装置を提供する点にある。
【０００５】
【課題を解決するための手段】
この目的を達成するために、請求項１に記載の発明によれば、  入浴者の存在が予定されている人体存在予定箇所に向けてミストを噴出する温水噴出手段が設けられている温水噴出装置において、
前記温水噴出手段及び通風手段が、ミスト対象室としての浴室における浴槽の上部に相当する箇所に、前記通風手段の吹き出し口を前記温水噴出手段よりも前記人体存在予定箇所としての洗い場に接近させた状態で、かつ、前記吹き出し口と前記温水噴出手段とを水平方向に並べた状態で設けられ、
前記温水噴出手段が、起動するときには、前記人体存在予定箇所と異なる方向にミストを噴出し、その温水の温度が噴出許容設定範囲内になると、前記人体存在予定箇所に向けてミストを噴出するように構成され、
前記通風手段が、前記温水噴出手段にて噴出されるミストが前記人体存在予定箇所に存在する人体の頭部側に飛散するのを抑制すべく、前記洗い場に存在する人体の頭部側に向けた方向に通風するように設けられ、かつ、前記温水噴出手段が、前記人体存在予定箇所に向けてミストを噴出するときに、噴出されたミストが前記通風手段にて通風される空気の流れの下方側空間を通って前記人体存在予定箇所に流動するように、ミストを噴出するように構成されている。
【０００６】
すなわち、温水噴出手段の起動時には、人体存在予定箇所と異なる方向にミストを噴出し、その温水の温度が噴出許容下限温度から噴出許容上限温度までの噴出許容設定範囲内になってはじめて、温水噴出手段にて人体存在予定箇所に向けてミストを噴出することが可能となるので、温水噴出手段の起動時に、温水噴出手段に対して噴出許容設定範囲外の高温水や冷めた湯水が供給されても、その高温水や冷めた湯水が人体存在箇所に向けて噴出されることを阻止し、噴出許容設定範囲内の温水だけをミストとして人体存在箇所に向けて噴出することが可能となる。
したがって、温水噴出手段の起動時から入浴者に不快感を与えることを回避することが可能となる温水噴出装置を提供できるに到った。
【０００８】
また、請求項１に記載の発明によれば、温水噴出手段にて噴出されるミストのうち、人体存在予定箇所に存在する入浴者の頭部側に飛散するミストを、通風により入浴者の頭部側に飛散するのを抑制する通風手段が設けられているので、入浴者の頭部側にミストが飛散するのを通風手段による通風力により効果的に抑制しつつ、入浴者の頭部側以外の部分にはミストを噴出させて、サウナ効果を得ることが可能となって、入浴者に快適感を与えることが可能となる。
【０００９】
請求項２に記載の発明によれば、前記通風手段が、加熱手段にて加熱された加熱空気を通風するように構成されている。
【００１０】
すなわち、温水噴出手段にて噴出されるミストのうち、人体存在予定箇所に存在する入浴者の頭部側に飛散する可能性のあるミストを、加熱空気の通風力により入浴者の頭部側に飛散するのを抑制することが可能となるので、ミストの噴出だけでなく、加熱空気の通風によっても、ミスト対象室の温度を上昇させることが可能となって、ミスト対象室内の温度の立ち上がりを早くさせて、より早い段階でサウナ効果を得ることが可能となる。
【００１１】
請求項３に記載の発明によれば、前記通風手段が、ミスト対象室内から吸引した空気を通風するように構成されている。
【００１２】
すなわち、人体存在予定箇所に存在する入浴者の頭部側にミスト対象室内から吸引した空気を通風し、人体存在予定箇所に存在する入浴者の頭部以外の部分にはミストを噴出させることが可能となるので、例えば、夏場などには、入浴者の頭部側では涼風感を得ながら、サウナ効果を得ることが可能となって、入浴者によりよい快適感を与えることが可能となる。
【００１３】
請求項４に記載の発明によれば、前記温水噴出手段と前記通風手段とが一体状に構成されている。
【００１４】
すなわち、人体存在予定箇所に存在する入浴者の頭部側にミストが飛散するのを通風手段による通風によって抑制しながら、人体存在予定箇所に存在する入浴者の頭部側以外の部分にミストを噴出させるために、温水噴出装置の設置の際などに、温水噴出手段によるミスト噴出方向と通風手段による通風方向との関係を調整する必要があるが、温水噴出手段と通風手段とが一体状に構成されているので、温水噴出手段によるミスト噴出方向と通風手段による通風方向との関係の調整が行い易いものとなり、温水噴出装置の設置が容易なものとなる。
【００１５】
請求項５に記載の発明によれば、前記通風手段を備えた装置本体部が、ミスト対象室の天井裏に入り込ませた状態で設置され、その設置状態において、前記温水噴出手段を前記ミスト対象室の天井の表面側箇所に支持するように構成され、前記ミスト対象室内側において、前記温水噴出手段が支持された前記装置本体部を覆うカバー体が設けられている。
【００１６】
すなわち、通風手段を備えた装置本体部を、ミスト対象室の天井裏に入り込ませた状態に設置し、その設置状態において、温水噴出手段をミスト対象室の天井の表面側箇所に支持させ、温水噴出手段が支持された装置本体部を、ミスト対象室内側から覆うカバー体を設置させることによって、温水噴出手段と通風手段とを一体状に構成させてミスト対象室の天井にミスト装置を設置することが可能となり、天井裏の空間を利用しながら、温水噴出装置を容易に設置することが可能となる。
【００１７】
請求項６に記載の発明によれば、前記温水噴出手段および前記通風手段の作動状態を制御する制御手段が設けられ、前記制御手段が、前記通風手段のみを作動させる通風運転状態、前記温水噴出手段のみを作動させるミスト運転状態、および、前記通風手段および前記温水噴出手段を作動させる同時運転状態に切換可能に構成されている。
【００１８】
すなわち、例えば、制御手段が、入浴者による人為操作式の指令手段による指令に基づいて、通風運転状態、ミスト運転状態、および、同時運転状態のいずれかの運転状態に切り換えることが可能となるので、入浴者の必要に応じた運転状態を選択することが可能となって、使い勝手のよいものとなる。
【００１９】
【発明の実施の形態】
本発明にかかる温水噴出装置を浴室空調装置に組み込んだ例を図面に基づいて説明する。
この浴室空調装置は、図１に示すように、ミスト対象室としての浴室１に設置され、循環ファン２や可動ルーバー１５を備えた装置本体部３、その装置本体部３に支持される温水噴出手段としてのミスト噴出部４、循環ファン２およびミスト噴出部４の作動状態を制御する制御手段としての制御部５などから構成されている。
【００２０】
前記装置本体部３は、図２〜図５に示すように、浴室１の天井裏に入り込ませた状態で、天井６の開口部６ａに吊り下げ支持具７により吊り下げ支持されて設置され、その設置状態において、ミスト噴出部４を天井６の表面側箇所に支持させ、浴室１内側において、ミスト噴出部４が支持された装置本体部３を覆うカバー体としてのグリル板８が設けられ、装置本体部３とミスト噴出部４とが一体状に構成されている。
そして、装置本体部３は、浴室１内の浴槽Ａの上部に相当する箇所に設置され、浴室１内を暖房する機能、浴室１内を乾燥させる機能、浴室１内の空気を循環通風させる機能、浴室１を換気する機能などを備えて構成されている。
また、グリル板８には、吸気口９と吹き出し口１０とを並設し、ミスト噴出部４に配設された複数の噴出ノズル４ｂに対応する位置に、ミストを噴出するための複数のミスト噴出口１１が形成されている。
【００２１】
前記装置本体部３は、本体ケーシング３ａ内に、吸気口９を通して浴室１内の空気を吸引して吹き出し口１０を通して空気を吹き出すための循環通風路１２、その循環通風路１２に対して通風作用する循環ファン２、循環通風路１２を通風する空気に対して加熱作用する加熱手段としての熱交換器１３、その熱交換器１３に熱源機Ｇからの温水の供給を断続する熱動弁１４、吹き出し口１０を通して吹出される空気の吹き出し方向を変更自在な可動ルーバー１５、浴室１内の空気を吸引して排気ダクト１６を通して屋外に排気する換気ファン１７などを備えて構成されている。
【００２２】
すなわち、循環ファン２を作動させ、熱動弁１４を開弁させて熱交換器１３に熱媒としての温水を供給して、吸気口９を通して浴室１内から吸引した空気を熱交換器にて加熱して吹き出し口１０を通して浴室１内に通風するように構成されている。
また、可動ルーバー１５は、通風用電動モータＭにより浴室１内に吹き出す空気の方向を変更する電動式に構成されている。
【００２３】
前記循環ファン２は、水平軸芯周りで回転して、空気の吸引と排気とをともに回転軸芯と直交する方向に沿って行うクロスフローファンにて構成され、回転軸芯方向のほぼ全幅にわたる広い範囲にわたって熱交換器１３を通して浴室１内の空気を吸引し、吹き出し口１０から熱交換器１３にて加熱された空気を浴室１に吹き出すように通風作用するように構成されている。
前記換気ファン１７は、縦軸芯周りで回転して、ファンケース１７ａの下方側から空気を吸引して、本体ケーシング３ａの横一側面に形成した排出口１８を通して排気ダクト１６に向けて空気を通風させるように構成されている。
【００２４】
前記循環ファン２は、循環ファン２を回転させるモータの駆動電圧を変更することによって、浴室１内に通風される空気の通風量が変更されるように構成され、浴室１内に通風される空気の通風量が、予備暖房用の通風量（強状態）とそれよりも小さな入浴中暖房用の通風量（弱状態）とに変更されるように構成されている。
【００２５】
前記ミスト噴出部４は、直管状の温水供給管４ａ、および、その温水供給管４ａの長手方向に間隔を隔てて配設された複数の噴出ノズル４ｂとを備えて構成され、温水供給管４ａを回転させて噴出ノズル４ｂによる噴出方向を変更するミスト用電動モータ１９が設けられている。
そして、ミスト噴出部４は、熱源機Ｇから供給される温水をミストとして噴出ノズル４ｂから、人体存在予定箇所に相当する浴室１の洗い場Ｂに向けて噴出するように構成されている。
また、熱源機Ｇからミスト噴出部４への温水供給路２６には、上流側から、その温水供給路２６を通流する温水の温度を検出する温水サーミスタ２７、ミスト噴出部４への温水の供給を断続する温水供給断続弁２８が設けられている。
【００２６】
前記温水供給管４ａは、図７に示すように、その両端部分において、本体ケーシング３ａにネジ止めされる支持具Ｌなどにて吊り下げ支持され、温水供給管４ａの下流側端部に取り付けられたミスト用電動モータ１９にて、温水供給管４ａが水平軸芯周りで回動自在に支持されている。
説明を加えると、温水供給管４ａの上流側端部は、Ｌ型接続管４ｃとＯリングシール接続され、本体ケーシング３ａにネジ止めされた吊り下げ部材Ｌ１とその吊り下げ部材Ｌ１にネジ止めされる受け止め部材Ｌ２とでＬ型接続管４ｃを挟み込む状態で支持するようにしている。
そして、温水供給管４ａの下流側端部は、本体ケーシング３ａにネジ止めされた吊り下げ部材Ｌ１とその吊り下げ部材Ｌ１にネジ止めされるミスト用電動モータ１９のモータカバー１９ａなどにて支持するようにしている。
【００２７】
前記装置本体部３と熱源機Ｇなどの動作は、マイクロコンピュータを利用した制御部５によって制御され、その制御部５に双方向に通信可能なリモコン操作部Ｒは、浴室Ａに隣接する脱衣室や台所などに設けられている。
そして、リモコン操作部Ｒには、予備暖房運転モードおよび入浴中暖房運転モードを指令する暖房運転スイッチ２０、換気運転モードを指令する換気運転スイッチ２２、乾燥運転モードを指令する乾燥運転スイッチ２３、涼風運転モードを指令する涼風運転スイッチ２４、ミスト運転モードを指令するミスト運転スイッチ２５などが設けられている。
【００２８】
前記制御部５は、リモコン操作部Ｒの指令に基づいて、暖房運転スイッチ２０が１回押されて予備暖房運転モードとなると予備暖房運転を実行し、暖房運転スイッチ２０が２回押されて入浴中暖房運転モードとなると入浴中暖房運転を実行し、換気運転スイッチ２２がＯＮ操作されると換気運転を実行し、乾燥運転スイッチ２３がＯＮ操作されると乾燥運転を実行し、涼風運転スイッチ２４がＯＮ操作されると涼風運転を実行し、ミスト運転スイッチ２５がＯＮ操作されるとミスト運転を実行するように構成されている。
【００２９】
前記予備暖房運転は、図４の（イ）に示すように、換気ファン１７を停止させかつ循環ファン２を作動させるとともに、浴室１内の温度が予備暖房用の設定温度に維持されるように、熱動弁１４の開閉を制御して熱交換器１３に熱媒としての温水を循環供給し、この熱交換器１３により加熱された循環空気を吹き出し口１０から浴室１内に吹き出すようにしている。
そして、浴室１内に通風される空気の通風量が予備暖房用の通風量となるように循環ファン２を強状態にて作動させるとともに、図８の（イ）に示すように、通風用電動モータＭにて可動ルーバー１５を揺動させるようにしている。
【００３０】
前記入浴中暖房運転は、上述の予備暖房運転と同様に、図４の（イ）に示すように、換気ファン１７を停止させかつ循環ファン２を作動させるとともに、浴室１内の温度が予備暖房用の設定温度に維持されるように、熱動弁１４の開閉を制御して熱交換器１３に熱媒としての温水を循環供給し、この熱交換器１３により加熱された循環空気を吹き出し口１０から浴室１内に吹き出すようにしている。
そして、浴室１内に通風される空気の通風量が予備暖房用の通風量よりも小さな入浴中暖房用の通風量となるように循環ファン２を弱状態にて作動させるとともに、図８の（ロ）に示すように、通風用電動モータＭにて可動ルーバー１５を揺動させるようにしている。
【００３１】
前記換気運転は、図４の（ロ）に示すように、循環ファン２の作動を停止しかつ熱動弁１４を閉状態に維持した状態で、換気ファン１７を作動させ、可動ルーバー１５が閉状態となるように通風用電動モータＭにて可動ルーバー１５の作動状態を調整して、浴室１内から吸引した空気を排気するようにしている。
【００３２】
前記乾燥運転は、図４の（イ）に示すように、循環ファン２を作動させ、かつ、浴室１内の温度が乾燥用の設定温度範囲に維持されるように、熱動弁１４の開閉を制御して熱交換器１３に熱媒としての温水を循環供給するとともに、換気ファン１７を作動させて、浴室１内から吸引した空気の一部を排気ダクト１６を通して屋外に排出させながら、熱交換器１３により加熱された循環空気を吹き出し口１０から浴室１内に吹き出すようにしている。
そして、図８の（ハ）に示すように、浴室１内への空気の吹き出し方向が乾燥用吹き出し方向としてほぼ真下の方向となるように、通風用電動モータＭにて可動ルーバー１５の向きを調整するようにしている。
【００３３】
すなわち、循環通風路１２を通して加熱された空気が、浴槽Ａ上部に係止具Ｃにて吊り下げ支持されている衣類などの乾燥対象物Ｄに向けた真下の方向に吹出されることになる。
そして、乾燥対象物Ｄから蒸発する水分を含んだ湿った空気を吸気口９から吸引し、その一部を換気ファン１７により屋外に排出しながら、熱交換器１３にて加熱して再度浴室１に吹き出すようにしている。
このようにして、浴室１内の空気の一部を屋外に排出するとともに、浴室１内の空気を循環しながら加熱して、乾燥対象物Ｄを乾燥するようにしている。
【００３４】
前記涼風運転は、図４の（イ）に示すように、熱動弁１４を閉状態に維持した状態で循環ファン２を作動させるとともに、換気ファン１７を作動させて、浴室１内から吸引した空気の一部を排気ダクト１６を通して屋外に排出させながら、浴室１内から吸引した空気を加熱することなく循環通風路１２を通して浴室１内に吹き出すようにしている。
そして、浴室１内への空気の吹き出し方向が、涼風用吹き出し方向（例えば、洗い場Ｂに向く方向）になるように、通風用電動モータＭにて可動ルーバー１５の向きを調整するようにしている。
【００３５】
前記ミスト運転は、図５の（イ）および図９の（イ）に示すように、運転開始時に、熱源機Ｇからミスト噴出部４に供給される温水をミストとして噴出ノズル４ｂから噴出させ、そのミストが人体存在予定箇所に相当する洗い場Ｂと異なる方向に噴出するように、ミスト用電動モータ１９にて噴出ノズル４ｂの噴出方向を非作用方向（例えば、真下から６０度浴槽Ａ側に向けた方向）の一定の方向に調整するようにしている。
そして、温水サーミスタ２７の検出温度が噴出許容下限温度から噴出許容上限温度までの噴出許容設定範囲内になると、図５の（ロ）および図９の（ロ）に示すように、熱源機Ｇからミスト噴出部４に供給される温水をミストとして噴出ノズル４ｂから噴出させ、そのミストが洗い場Ｂに向けて噴出するように、ミスト用電動モータ１９にて噴出ノズル４ｂの噴出方向を作用方向（例えば、真下から６０度洗い場Ｂ側に向けた方向）の一定の方向に調整するようにしている。
【００３６】
ちなみに、噴出ノズル４ｂの噴出方向は、リモコン操作部Ｒの設定スイッチなどにて変更可能に構成され、具体的には、ミスト用電動モータ１９を作動させて、温水供給管４ａを水平軸芯周りで回転させて、噴出ノズル４ｂの噴出方向を変更するように構成されている。
【００３７】
また、制御部５は、ミスト運転中に、温水サーミスタ２７の検出温度と噴出許容設定範囲との関係から、噴出ノズル４ｂの噴出方向を非作用方向と作用方向のいずれかに変更するように構成されている。
すなわち、温水サーミスタ２７の検出温度が噴出許容設定範囲外であると、ミスト用電動モータ１９にて噴出ノズル４ｂの噴出方向を非作用方向に調整し、温水サーミスタ２７の検出温度が噴出許容設定範囲内になると、ミスト用電動モータ１９にて噴出ノズル４ｂの噴出方向を作用方向に調整するようにしている。
そして、温水サーミスタ２７の検出温度が噴出許容上限温度よりも高くなると、ミスト用電動モータ１９にて噴出ノズル４ｂの噴出方向を非作用方向に調整するとともに、温水供給断続弁２８を閉弁して、リモコン操作部Ｒの表示部にエラー表示して、ミスト運転をエラー停止するようにしている。
【００３８】
このようにして、ミスト噴出部４を起動するときには、洗い場Ｂと異なる方向にミストを噴出し、その温水の温度が噴出許容設定範囲内になってはじめて、ミスト噴出部４にて洗い場Ｂに向けてミストを噴出させて、ミスト噴出部４の起動時に、ミスト噴出部４に対して噴出許容設定範囲外の高温水や冷めた湯水が供給されても、その高温水や冷めた湯水が洗い場Ｂに向けて噴出されることを阻止し、噴出許容設定範囲内の温水だけをミストとして洗い場Ｂに向けて噴出させて、ミスト噴出部４の起動時から入浴者に不快感を与えることを回避するように構成されている。
【００３９】
また、制御部５は、暖房運転スイッチ２０、涼風運転スイッチ２４などのスイッチが単独でＯＮ操作されると、通風運転状態に切り換え、上述の入浴中暖房運転や涼風運転などの運転を単独で実行し、ミスト運転スイッチ２５が単独でＯＮ操作されると、ミスト運転状態に切り換え、上述のミスト運転を単独で実行し、暖房運転スイッチ２０、涼風運転スイッチ２４などのスイッチとミスト運転スイッチ２５とがＯＮ操作されると、同時運転状態に切り換え、入浴中暖房運転または涼風運転とミスト運転の同時運転を実行するように構成されている。
【００４０】
前記同時運転について説明を加えると、暖房運転スイッチ２０を２回押して入浴中暖房運転モードを指令するとともに、ミスト運転スイッチ２５をＯＮ操作したり、入浴中暖房運転中にミスト運転スイッチ２５がＯＮ操作されるなどして、入浴中暖房運転モードが指令されかつミスト運転スイッチ２５がＯＮ操作されると、ミスト暖房同時運転を実行し、涼風運転スイッチ２４とミスト運転スイッチ２５とが同時にＯＮ操作されたり、涼風運転中にミスト運転スイッチ２５がＯＮ操作されるなどして、涼風運転スイッチ２４とミスト運転スイッチ２５とがＯＮ操作されると、ミスト涼風同時運転を実行するように構成されている。
【００４１】
前記ミスト暖房同時運転は、図６に示すように、熱源機Ｇからミスト噴出部４に供給される温水をミストとして噴出ノズル４ｂから噴出させるとともに、換気ファン１７を停止させかつ循環ファン２を強状態または弱状態で作動させ、浴室１内の温度が設定温度に維持されるように、熱動弁１４の開閉を制御して熱交換器１３に熱媒としての温水を循環供給し、この熱交換器１３により加熱された循環空気を吹き出し口１０から浴室１内に吹き出すようにしている。
【００４２】
また、ミスト暖房同時運転の開始時は、上述のミスト運転と同様に、図６の（イ）および図９の（イ）に示すように、ミストが人体存在予定箇所に相当する洗い場Ｂと異なる方向に噴出するように、ミスト用電動モータ１９にて噴出ノズル４ｂの噴出方向を非作用方向（例えば、真下から６０度浴槽Ａ側に向けた方向）の一定の方向に調整するようにしている。
そして、温水サーミスタ２７の検出温度が噴出許容下限温度から噴出許容上限温度までの噴出許容設定範囲内になると、図６の（ロ）および図９の（ハ）に示すように、ミストを洗い場Ｂに向けて噴出するように、ミスト用電動モータ１９にて噴出ノズル４ｂの噴出方向を作用方向（例えば、真下から６０度洗い場Ｂ側に向けた方向）の一定の方向に調整するとともに、ミスト噴出部４にて噴出されるミストが洗い場Ｂに存在する入浴者の頭部側に飛散するのを抑制するように、通風用電動モータＭにて可動ルーバー１５による通風方向を同時運転用通風方向（例えば、浴室１の洗い場Ｂに存在する人体の頭部側に向けた方向）の一定の方向に調整するようにしている。
【００４３】
前記ミスト涼風同時運転は、図６に示すように、熱源機Ｇからミスト噴出部４に供給される温水をミストとして噴出ノズル４ｂから噴出させるとともに、熱動弁１４を閉状態に維持した状態で循環ファン２を強状態または弱状態で作動させ、換気ファン１７を作動させて、浴室１内から吸引した空気の一部を排気ダクト１６を通して屋外に排出させながら、浴室１内から吸引した空気を加熱することなく循環通風路１２を通して浴室１内に吹き出すようにしている。
【００４４】
また、ミスト涼風同時運転の開始時は、図６の（イ）および図９の（イ）に示すように、ミストが人体存在予定箇所に相当する洗い場Ｂと異なる方向に噴出するように、ミスト用電動モータ１９にて噴出ノズル４ｂの噴出方向を非作用方向（例えば、真下から６０度浴槽Ａ側に向けた方向）の一定の方向に調整するようにしている。
そして、温水サーミスタ２７の検出温度が噴出許容下限温度から噴出許容上限温度までの噴出許容設定範囲内になると、図６の（ロ）および図９の（ハ）に示すように、ミストを洗い場Ｂに向けて噴出するように、ミスト用電動モータ１９にて噴出ノズル４ｂの噴出方向を作用方向（例えば、真下から６０度洗い場Ｂ側に向けた方向）の一定の方向に調整するとともに、ミスト噴出部４にて噴出されるミストが洗い場Ｂに存在する入浴者の頭部側に飛散するのを抑制するように、通風用電動モータＭにて可動ルーバー１５による通風方向を同時運転用通風方向（例えば、浴室１の洗い場Ｂに存在する人体の頭部側に向けた方向）の一定の方向に調整するようにしている。
【００４５】
ちなみに、ミスト暖房同時運転およびミスト涼風同時運転において、噴出ノズル４ｂの噴出方向と可動ルーバー１５による通風方向は、リモコン操作部Ｒの設定スイッチにて変更可能に構成され、入浴者が浴室１内で立っている状態と座っている状態との夫々の状態で、洗い場Ｂに存在する入浴者の頭部側にミストが飛散するのを抑制しながら、入浴者に向けてミストを噴出できるようにしている。
【００４６】
また、ミスト暖房同時運転中およびミスト涼風同時運転中においては、上述のミスト運転と同様に、制御部５が、温水サーミスタ２７の検出温度が噴出許容温度外であると、ミスト用電動モータ１９にて噴出ノズル４ｂの噴出方向を非作用方向に調整し、温水サーミスタ２７の検出温度が噴出許容温度内になると、ミスト用電動モータ１９にて噴出ノズル４ｂの噴出方向を作用方向に調整するようにしている。
そして、温水サーミスタ２７の検出温度が噴出許容上限温度よりも高くなると、噴出ノズル４ｂの噴出方向を非作用方向に調整するとともに、温水供給断続弁２８を閉弁して、リモコン操作部Ｒの表示部にエラー表示して、ミスト運転をエラー停止させるようにしている。
【００４７】
このようにして、循環ファン２、循環通風路１２、熱交換器１３、可動ルーバー１５などにより通風手段Ｔを構成し、その通風手段Ｔにて、ミスト噴出部４にて噴出されるミストが浴室１の洗い場Ｂに存在する人体の頭部側に飛散するのを抑制して、入浴者の頭部側にミストが飛散するのを通風手段Ｔの通風力により効果的に抑制しつつ、入浴者の頭部側以外の部分にはミストを噴出させて、サウナ効果を得るように構成されている。
また、ミスト暖房同時運転では、加熱空気を通風するので、ミストの噴出と加熱空気の通風により浴室１の温度を上昇させて、その温度の立ち上がりを早くさせて、より早い段階でサウナ効果を得ることが可能となり、ミスト涼風同時運転では、浴室１内から吸引した空気を加熱することなく通風するので、例えば、夏場などに、入浴者の頭部側では涼風感を得ながら、サウナ効果を得ることが可能となる。
【００４８】
前記制御部５の動作について、図１０のフローチャートに基づいて説明する。前記リモコン操作部Ｒの指令に基づいて、予備暖房運転、入浴中暖房運転、換気運転、涼風運転、乾燥運転、ミスト運転、ミスト暖房同時運転、ミスト涼風同時運転の夫々の運転を開始する。
説明を加えると、リモコン操作部Ｒのスイッチの状態を読み込み、そのスイッチの状態に対応した運転を開始するようにしている。
【００４９】
前記暖房運転スイッチ２０が１回押されて予備暖房運転モード（以下、予備暖房運転スイッチのＯＮ状態と呼称する）が指令されると、予備暖房運転を開始し（ステップ１，２）、予備暖房運転スイッチのＯＮ状態が指令されてから設定時間経過するか、または、暖房運転スイッチ２０がＯＦＦ操作されると、予備暖房運転を終了する。
【００５０】
また、暖房運転スイッチ２０が２回押されて入浴中暖房運転モード（以下、入浴中暖房運転スイッチのＯＮ状態と呼称する）が指令されるとともに、ミスト運転スイッチ２５がＯＮ操作されると、ミスト暖房同時運転を開始し（ステップ３〜５）、暖房運転スイッチ２０が２回押されて入浴中暖房運転モード（以下、入浴中暖房運転スイッチのＯＮ状態と呼称する）が指令されるだけのときには、入浴中暖房運転を開始する（ステップ３，４，６）。
そして、ミスト暖房同時運転では、入浴中暖房運転スイッチのＯＮ状態が指令されてからまたはミスト運転スイッチ２５がＯＮ操作されてから設定時間が経過するか、または、暖房運転スイッチ２０またはミスト運転スイッチ２５がＯＦＦ操作されると、ミスト暖房同時運転を終了し、入浴中暖房運転では、入浴中暖房運転スイッチのＯＮ状態が指令されてから設定時間が経過するか、または、暖房運転スイッチ２０がＯＦＦ操作されると、入浴中暖房運転を終了する。
なお、入浴中暖房運転中に、ミスト運転スイッチ２５がＯＮ操作されると、ミスト暖房同時運転に移行される。
【００５１】
ちなみに、ミスト暖房同時運転では、入浴中暖房運転スイッチのＯＮ状態が指令されてから設定時間が経過するか、または、暖房運転スイッチ２０がＯＦＦ操作されると、ミスト運転に移行し、ミスト運転スイッチ２５がＯＮ操作されてから設定時間が経過するか、または、ミスト運転スイッチ２５がＯＦＦ操作されると、入浴中暖房運転に移行するようにしてもよい。
【００５２】
前記換気運転スイッチ２２がＯＮ操作されると、換気運転を開始し（ステップ７，８）、換気運転スイッチ２２がＯＮ操作されてから設定時間経過するか、または、換気運転スイッチ２２がＯＦＦ操作されると、換気運転を終了する。
【００５３】
前記涼風運転スイッチ２４とミスト運転スイッチ２５がＯＮ操作されると、ミスト涼風同時運転を開始し（ステップ９〜１１）、涼風運転スイッチ２４だけがＯＮ操作されると、涼風運転を開始する（ステップ９，１０，１２）。
そして、ミスト涼風同時運転では、涼風運転スイッチ２４またはミスト運転スイッチ２５がＯＮ操作されてから設定時間が経過するか、または、涼風運転スイッチ２４またはミスト運転スイッチ２５がＯＦＦ操作されると、ミスト涼風同時運転を終了し、涼風運転では、涼風運転スイッチ２４がＯＮ操作されてから設定時間が経過するか、または、涼風運転スイッチ２４がＯＦＦ操作されると、涼風運転を終了する。
なお、涼風運転中に、ミスト運転スイッチ２５がＯＮ操作されると、ミスト涼風同時運転に移行される。
【００５４】
ちなみに、ミスト涼風同時運転では、涼風運転スイッチ２４がＯＮ操作されてから設定時間が経過するか、または、涼風運転スイッチ２４がＯＦＦされると、ミスト運転に移行し、ミスト運転スイッチ２５がＯＮ操作されてから設定時間が経過するか、または、ミスト運転スイッチ２５がＯＦＦ操作されると、涼風運転に移行するようにしてもよい。
【００５５】
前記乾燥運転スイッチ２３がＯＮ操作されると、乾燥運転を開始し（ステップ１３，１４）し、ミスト運転スイッチ２５がＯＮ操作されると、ミスト運転を開始する（ステップ１５，１６）。
乾燥運転およびミスト運転の夫々の運転の終了については、各スイッチがＯＮ操作されてから設定時間が経過するか、または、各スイッチがＯＦＦ操作されると、夫々の運転を終了する。
【００５６】
そして、ミスト運転、ミスト暖房同時運転およびミスト涼風同時運転において、運転開始時に、ミスト用電動モータ１９にて噴出ノズル４ｂの噴出方向を非作用方向に調整し、温水サーミスタ２７の検出温度と噴出許容設定範囲との関係で、噴出ノズル４ｂの噴出方向を非作用方向と作用方向のいずれかに変更するので、その制御動作について、ミスト運転を挙げて図１１のフローチャートに基づいて説明する。
【００５７】
まず、ミスト運転スイッチ２５がＯＮ操作されて、ミスト運転が開始されると、温水供給断続弁２８を開弁させて、ミスト噴出部４に温水を供給する（ステップ２１）。
そして、温水サーミスタ２７の検出温度ｔが噴出許容下限温度Ｔｍｉｎ未満であれば、ミスト用電動モータ１９にて噴出ノズル４ｂの噴出方向を非作用方向に調整した非作用状態にする（ステップ２２，２３）
【００５８】
また、温水サーミスタ２７の検出温度ｔが噴出許容上限温度Ｔｍａｘよりも高ければ、ミスト用電動モータ１９にて噴出ノズル４ｂの噴出方向を非作用方向に調整した非作用状態にし、温水供給断続弁２８を閉弁させて、リモコン操作部Ｒの表示部にエラー表示してエラー停止する（ステップ２４〜２６）。
【００５９】
そして、温水サーミスタ２７の検出温度ｔが噴出許容下限温度Ｔｍｉｎ以上でかつ噴出許容上限温度Ｔｍａｘ以下の噴出許容設定範囲内になると、ミスト用電動モータ１９にて噴出ノズル４ｂの噴出方向を作用方向に調整した作用状態にするようにしている（ステップ２２，２４，２７）。
【００６０】
その後、ミスト運転スイッチ２５がＯＮ操作されてから設定時間が経過するか、または、ミスト運転スイッチ２５がＯＦＦ操作されて、停止タイミングになるまで、上述の制御動作を繰り返し実行する（ステップ２８）。
そして、停止タイミングになると、ミスト用電動モータ１９にて噴出ノズル４ｂの噴出方向を非作用方向に調整した非作用状態にして、温水供給断続弁２８を閉弁する停止処理を実行する（ステップ２８，２９）。
【００６１】
なお、ミスト運転中に、暖房運転スイッチ２０が２回押されて入浴中暖房運転モード（入浴中暖房運転スイッチのＯＮ状態）が指令されると、ミスト暖房同時運転に移行され、涼風運転スイッチ２４がＯＮ操作されると、ミスト涼風同時運転に移行される。
【００６２】
〔別実施形態〕
【００６３】
（１）上記実施形態では、非作用方向を真下から６０度浴槽Ａ側に向けた方向としたが、例えば、非作用方向を真下に向けた方向とするなど、非作用方向は、人体存在予定箇所と異なる方向であれば適宜変更が可能である。
【００６６】
（２）上記実施形態では、通風手段Ｔが、加熱空気を通風する状態と、浴室１内から吸引した空気を通風する状態とのいずれの状態も現出するように構成したが、通風手段Ｔは、加熱空気を通風する状態と、浴室１内から吸引した空気を通風する状態とのいずれか一方の状態のみ現出するように構成してもよい。また、通風手段Ｔを屋外などから吸気した空気を通風するように構成して実施することも可能である。
【００６７】
（３）上記実施形態では、通風手段Ｔを備えた装置本体部３にミスト噴出部４を支持させ、ミスト噴出部４が支持された装置本体部３をグリル板８にて覆うことによって、ミスト噴出部４と通風手段Ｔとを一体状に構成するようにしているが、ミスト噴出部４を浴室１の天井に吊り下げ支持されるなどして、ミスト噴出部４と通風手段Ｔとを別体状に構成して実施することも可能である。
【００６８】
（４）上記実施形態では、制御部５が、通風運転状態、ミスト運転状態、および、同時運転状態に切換可能に構成されているが、制御部５が、同時運転状態に切換可能であればよく、通風運転状態およびミスト運転状態については必ずしも切換可能でなくてもよい。
【図面の簡単な説明】
【図１】浴室空調装置を設置した浴室の斜視図
【図２】浴室空調装置の分解斜視図
【図３】浴室空調装置の横断平面図
【図４】浴室空調装置の縦断側面図
【図５】浴室空調装置の縦断側面図
【図６】浴室空調装置の縦断側面図
【図７】浴室空調装置の要部を示す斜視図
【図８】浴室内への空気の吹き出し方向を示す概略側面図
【図９】浴室内へのミストの噴出方向を示す概略側面図
【図１０】制御動作を示すフローチャート
【図１１】ミスト運転における制御動作を示すフローチャート
【符号の説明】
１              ミスト対象室
３              装置本体部
４              温水噴出手段
５              制御手段
８              カバー体
１３            加熱手段
Ｂ              人体存在予定箇所
Ｔ              通風手段
【図１】
0004801280.tif 000002
【図２】
0004801280.tif 000003
【図３】
0004801280.tif 000004
【図４】
0004801280.tif 000005
【図５】
0004801280.tif 000006
【図６】
0004801280.tif 000007
【図７】
0004801280.tif 000008
【図８】
0004801280.tif 000009
【図９】
0004801280.tif 000010
【図１０】
0004801280.tif 000011
【図１１】
0004801280.tif 000012